【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
目の前房と目の後部と間のドレナージ経路を提供するための眼内インプラントであって、
類似の直径を有し相互接続された孔隙のアレイを定める生体適合性ポリマ骨格を備え、
前記インプラントが、楕円断面のほぼ円筒形状を有している、
ことを特徴とする眼内インプラント。
【請求項２】
前記孔隙の平均直径が２５μｍ〜３６μｍの範囲である、
請求項１に記載の眼内インプラント。
【請求項３】
前記インプラントが、長さ３ｍｍ〜９ｍｍ、厚さ０．３ｍｍ〜１ｍｍ、幅０．５ｍｍ〜２ｍｍである、
請求項１または２に記載の眼内インプラント。
【請求項４】
前記インプラントが、長さ５ｍｍ、幅１．１ｍｍ、厚さ０．６ｍｍである、
請求項１ないし３のいずれか１項に記載の眼内インプラント。
【請求項５】
近位端の近傍に配置された１または複数のマーカを備えている、
請求項１ないし４のいずれか１項に記載の眼内インプラント。
【請求項６】
配備器具と請求項１ないし５のいずれか１項に記載の眼内インプラントとを有しているシステム。
【請求項７】
ハウジングを有する埋め込みデバイスのための中空シャフトアセンブリであって、
遠位端及び近位端を有し、前記固定シャフトの遠位端の上に装着され且つその近位端が前記摺動要素に接続されるように構成された中空シャフトであって、その遠位端がその一部分内にインプラントを保持するように構成され、第１の位置から第２の位置までの前記摺動要素の動きによって前記固定シャフト上を後退して前記インプラントを前記中空シャフトの遠位端内から解放するように構成された中空シャフトと、
前記中空シャフトの前記遠位端内に位置決めされたインプラントと、
前記中空シャフトがそこに接続される固定要素と、を備え、
前記固定要素は、前記固定シャフトの上で前記ハウジングの中に挿入され、かつ前記ハウジング内で前記摺動要素と係合するように構成されている、
ことを特徴とする中空シャフトアセンブリ。
【請求項８】
前記固定要素は、摺動要素接続部分と係合するように構成された接続部分を備えている、
請求項７に記載のアセンブリ。
【請求項９】
前記固定要素の前記接続部分は、少なくとも２つの係合面を提供する凹部を備え、
前記摺動要素接続部分は、前記固定要素の挿入によって押し離されるように構成された少なくとも２つの端部分を備え、
前記少なくとも２つの端部分は、前記固定要素の係合面と係合する係合面を提供するように構成されている、
請求項８に記載のアセンブリ。
【請求項１０】
前記固定要素が、前記固定要素を前記ハウジングに挿入するための正しい配向を示すように構成された面を有する本体部分を備えている、
請求項７ないし９のいずれか１項に記載のアセンブリ。
【請求項１１】
前記固定要素は、ワンタッチ固定式接続要素を備えている、
請求項７ないし１０のいずれか１項に記載のアセンブリ。
【請求項１２】
前記中空シャフトは、熱硬化性プラスチック材料及び熱可塑性材料の一方からなる実質的に透明なプラスチック材料からなる、
請求項７ないし１１のいずれか１項に記載のアセンブリ。
【請求項１３】
前記中空シャフトは、生体適合性金属材料からなる、
請求項７ないし１２のいずれか１項に記載のアセンブリ。
【請求項１４】
前記中空シャフトは、斜角付き先端を備えている、
請求項７ないし１３のいずれか１項に記載のアセンブリ。
【請求項１５】
前記中空シャフトの遠位端は、前記インプラントが埋め込まれることになる眼の眼球組織の曲率に適合するように可撓性であるように構成される、
請求項７から１４のいずれか１項に記載のアセンブリ。
【請求項１６】
前記中空シャフトは、眼の前房に対する後腔のための挿入深さを示す少なくとも１つのマーカを備えている、
請求項７ないし１５のいずれか１項に記載のアセンブリ。
【請求項１７】
前記インプラントが、請求項１ないし５のいずれか１項に記載のインプラントである、請求項７ないし１６のいずれか１項に記載のアッセンブリ。
【請求項１８】
目の後腔内にインプラントを埋め込む埋め込みデバイスであって、
ハウジングと、
近位端と遠位端とを備え、前記近位端が前記ハウジング内に装着されて前記ハウジングに固定され、前記遠位端が前記ハウジングから延びている固定シャフトと、
前記固定シャフトおよび少なくとも部分的に前記ハウジングに装着された摺動要素を備えている搬送機構であって、前記摺動要素が前記ハウジングおよび少なくとも固定シャフトに対する第１の位置と第２の位置との間で移動するように構成されている搬送機構と、
遠位端及び近位端を有し、前記固定シャフトの遠位端の上に装着されかつ近位端が前記摺動要素に接続されるように構成された中空シャフトであって、遠位端でその一部分内にインプラントを保持するように構成され、前記摺動要素のその第１の位置から第２の位置までの移動によって前記固定シャフトの上を後退して前記中空シャフトの遠位端内から前記インプラントを解放するように構成される中空シャフトと、を備えたデバイスにおいて、
前記搬送機構が、前記ハウジング内に装着され前記固定シャフトと平行であるように構成されたスライダシャフトを更に備え、前記摺動要素は、前記スライダシャフトと前記固定シャフトの両方に装着され、
随意で、前記中空シャフトの近位端が固定要素に装着され、前記固定要素が前記固定シャフトの上で前記ハウジングの中に挿入されかつ前記ハウジング内の前記摺動要素と係合するように構成され、
随意で、固定要素は、摺動要素接続部分と係合するように構成された接続部分を備え、
随意で、前記固定要素の接続部分は、少なくとも２つの係合面を提供する凹部を備え、前記摺動要素接続部分は、前記固定要素の前記挿入によって押し離されるように構成された少なくとも２つの端部分を備え、前記少なくとも２つの端部分は、前記固定要素の前記係合面と係合する係合面を提供するように構成され、
随意で、前記固定要素は、前記ハウジングへの前記固定要素の挿入の正しい配向を示すように構成された面を有する本体部分を備え、
随意で、前記固定要素は、ワンタッチ固定式接続要素を備え、
随意で、前記中空シャフトは、前記固定シャフトの外部プロファイルに実質的に適合するように構成された内部プロファイルを有し、
随意で、前記中空シャフトは、熱硬化性プラスチック材料及び熱可塑性材料の一方からなる実質的に透明なプラスチック材料からなり、
随意で、前記中空シャフトは、生体適合性金属材料からなり、
随意で、前記中空シャフトは、斜角付き先端を備え、
随意で、前記中空シャフトの前記遠位端は、前記インプラントが埋め込まれることになる前記眼の眼球組織の曲率に適合するように可撓性であるように構成され、
随意で、前記中空シャフトは、前記眼の前房に対する前記後腔のための挿入深さを示す少なくとも１つのマーカを備え、
随意で、前記インプラントと前記眼の後腔との間の視覚的コントラストのための光を提供するように構成された光源を更に備え、
随意で、前記光源は、少なくとも一色の光を放出するように構成され、
随意で、前記光源に接続され、かつ前記光源によって放出された光を前記中空シャフトの遠位端に向けるように構成された光導波路を更に備え、
随意で、前記光導波路は、前記固定シャフトの少なくとも一部及び前記中空シャフトの少なくとも一部の一方に形成され、および／又は、
随意で、前記ハウジングに装着され、前記ハウジングに対して移動されるように構成されたボタンを更に備え、前記ボタンは、前記搬送機構に接続され、前記ハウジングに対して移動される時に前記摺動要素をその第１位置と第２の位置の間で移動させるように構成されている、
ことを特徴とする埋め込みデバイス。
【請求項１９】
眼の後腔の中にインプラントを埋め込むように構成された眼球インプラントシステムであって、
前記眼の後腔に埋め込まれるように構成されたインプラントと、
請求項１８に記載の埋め込みデバイスであって、前記インプラントが、前記中空シャフトの遠位端に位置付けられる前記埋め込みデバイスと、備え、
随意に、前記埋め込みデバイスに可撓的に接続されるように構成され、前記搬送機構の摺動要素をその第１の位置と第２の位置の間で移動させるように構成された起動機構を更に備え、
随意に、前記起動機構は、作動機構に接続されるように構成された空気圧プランジャデバイスを備え、前記作動機構は、前記埋め込みデバイスに接続され内側部分と前記内側部分を少なくとも部分的に取り囲む外側部分とを有し、前記内側部分及び外側部分は、互いに対して可動であるように構成され、
随意に、前記インプラントは、前記前房及び前記眼に対する前記後腔内の前記インプラントの挿入深さを示すように構成された少なくとも１つのマーカを含み、及び／又は、
前記マーカは、前記前房内のコントラストを与えるように選択された色を含む、
ことを特徴とする眼球インプラントシステム。
【請求項２０】
埋め込み装置用のハウジングであって、
近位端と遠位端を有する固定シャフトであって、前記近位端が前記ハウジング内に装着され前記ハウジングに対して固定され、前記遠位端が前記ハウジングから延びている固定シャフトと、
前記固定シャフトに装着され且つ少なくとも部分的にハウジング内に装着された摺動要素を有する搬送機構であって、前記摺動要素が、ハウジングに対してかつ少なくとも前記固定シャフトに対して第１の位置と第２の位置の間で移動されるように構成された送出機構と、と備えている埋め込みデバイスのためのハウジングにおいて、
前記搬送機構は、ハウジング内に装着され前記固定シャフトと平行であるように構成されたスライダシャフトを更に備え、前記摺動要素は、前記スライダシャフトと前記固定シャフトの両方に装着されている、
ことを特徴とするハウジング。
【請求項２１】
請求項２０に記載のハウジングと、
請求項７ないし１６のいずれか１項に記載の中空シャフトアセンブリと、を備え、
随意に、前記中空シャフトが、前記固定シャフトの外部プロファイルに実質的に適合するように構成された内部プロファイルを有する、
ことを特徴とする眼球内埋め込みキット。